(57)【要約】【課題】  一時廃液などの含水廃液を凝固処理したときに、ペースト状又はゼリー状に固まった場合、この状態の塊をぱらぱらの粒子群（粒子集合体）に確実かつ容易に変化させることのできる、含水固化物の処理剤、及びこの処理方法を提供すること。【解決手段】  木粉及び糠（ぬか）からなる群より選ばれた少なくとも１種を含有し、一時廃液などの液状含水物を凝固処理したときに生じたペースト状又はゼリー状の含水固化物にまぶされることによって、この含水固化物を互いに分離されたぱらぱらの多数の粒子集合体に変化させる機能を有する、含水固化物の処理剤と、その処理剤を用いる処理方法。【選択図】          図１
2012143694.tif 000002
【特許請求の範囲】
【請求項１】
木粉及び糠からなる群より選ばれた少なくとも１種を含有し、液状含水物を凝固処理したときに生じたペースト状又はゼリー状の含水固化物にまぶされることによって、この含水固化物を多数の粒子集合体に変化させる機能を有する、含水固化物の処理剤。
【請求項２】
前記木粉の微視的構造がフィブリル（微小繊維群）の集合体をなし、前記糠は、多様で不均一な起伏に富んだ表面を呈する粒子の集合体をなしている、請求項１に記載した含水固化物の処理剤。
【請求項３】
前記木粉は微細に粉砕されたものであって、その粒度分布は、５０メッシュパスが５０質量％以上である、請求項２に記載した含水固化物の処理剤。
【請求項４】
前記木粉の嵩比重が０．３以下であり、前記糠の嵩比重が０．５以下である、請求項１に記載した含水固化物の処理剤。
【請求項５】
親水性を呈する、請求項１に記載した含水固化物の処理剤。
【請求項６】
水分を１０質量％〜６０質量％含有する、請求項５に記載した含水固化物の処理剤。
【請求項７】
液状含水物を凝固処理して生じたペースト状又はゼリー状の含水固化物に、木粉及び糠からなる群より選ばれた少なくとも１種を含有する粉状の処理剤をまぶし、これによって、前記含水固化物を多数の粒子集合体に変化させる、含水固化物の処理方法。
【請求項８】
前記木粉として、すり応力下での粉砕処理によってその微視的構造がフィブリル（微小繊維群）の集合体をなす木粉を用い、前記糠として、多様で不均一な起伏に富んだ表面を呈する粒子の集合体をなす糠を用いる、請求項７に記載した含水固化物の処理方法。
【請求項９】
前記木粉として、微細に粉砕されて５０メッシュパスが５０質量％以上の粒度分布を有する木粉を用いる、請求項８に記載した含水固化物の処理方法。
【請求項１０】
前記木粉として、嵩比重が０．３以下の木粉を用い、前記糠として、嵩比重が０．５以下の糠を用いる、請求項７に記載した含水固化物の処理方法。
【請求項１１】
前記処理剤に親水性を付与する、請求項７に記載した含水固化物の処理方法。
【請求項１２】
前記処理剤に水分を１０質量％〜６０質量％添加する、請求項１１に記載した含水固化物の処理方法。
【発明の詳細な説明】
【技術分野】
【０００１】
本発明は、液状含水物を凝固処理して生じたペースト状又はゼリー状の含水固化物の処理剤、及びこの処理剤を用いる処理方法に関するものである。より詳しくは、工場の操業時に持続して排出される廃水のように常時持続的に大量に排出される廃液ではなく、一時的に制限された量で排出される含水廃液（以下、一時廃液と称する。）を一旦凝固処理した後、生じたペースト状又はゼリー状の含水固化物を短時間の内に直径数ミリ前後の大きさのスポンジ様の粒状体の集合体に変化させる機能を有する、廃液系全体を固形粒子化するための処理剤及びその処理方法の改良に関するものである。
【背景技術】
【０００２】
オフィスビルディング、工場や、食堂、自動車修理工場、ガソリンスタンド、食堂の調理場、美容院、醸造酒の製造所、病院、特養老人施設などから家庭に至るまで、我々は多くの廃液を垂れ流しにしている。これらは知らず知らずの間に莫大な環境汚染をもたらすことになる。これらの汚染に対しては何ら有効な手段がなく、従ってその対策も殆ど採られていない。
【０００３】
本発明者は、例えば建物の床面ワックスを剥離処理したときに生じた剥離汚水液に作用して、この剥離汚水液全体をそのまま粒状に固形化する優れた方法を見出して発明を完成し、これを特許出願している（後記の特許文献１：国際公開番号ＷＯ２０１０/００１７１０Ａ１）。
【０００４】
この特許出願に係る発明（以下、先願発明と称する。）は、例えば床面の樹脂ワックスの剥離汚水液の処理を目的にしたものであって、上記した剥離汚水液などの含水廃液を固形化する処理剤として、ポリアクリル酸ナトリウム架橋体などの高分子吸水剤と、この高分子吸水剤の粒子を分散させる木粉などの分散剤とを必須成分とし、この分散剤は木粉及び米ぬかの中から選ばれた少なくとも１種を含み、その木粉は、微細に粉砕されることにより、微視的構造において、フィブリル（微小繊維群）の集合体をなし、またその米ぬかは、微視的構造において、多様で不均一な起伏に富んだ表面を呈する粒子の集合体をなしていることを特徴とする、含水廃液の処理剤、及びこの処理剤による含水廃液の処理方法に係るものである。この先願発明による処理剤は、富士メンテニール株式会社製の商品名：ＦＭミラクルパウダー１０２又は１０１として実用化されている。
【発明の概要】
【発明が解決しようとする課題】
【０００５】
本発明者は更に、先願発明のアイデアを多くの含水廃液に適用する方法について鋭意検討を進めた結果、先願発明の改良方法を案出し、本発明に到達したものである。
【０００６】
上記先願発明は、数分間という短時間の内に、廃液全体を直径数ミリ前後の大きさの粉砕スポンジ様の粒子群に固形化できる画期的な方法である。この方法によれば、廃液の全体が多数の粒子集合体に固形化し、もはや液体は１滴も存在しなくなるので、従来の方法のように、廃液の沈澱処理工程、沈澱物の濾過などの分離工程が不要である。従って、液体の排出が皆無になるので、従来問題であった廃水による環境汚染は全く生じないことになる。
【０００７】
ところが、この先願発明による廃液の粒子化は、普遍性に富み、適用範囲の広いものであるが、処理対象の廃液の種類によって、粒子化の最適条件はそれぞれ異なることが判明した。問題は、この最適条件が廃液の種類、廃液中の溶質の種類、濃度などによって様々であることである。
【０００８】
この最適条件から外れると、廃液は、往々にして目的とするぱらぱらの粒子群にならず、ペースト状になってしまう。ここで、「ペースト状」とは、分かり易く言えば、食料品の味噌のような状態であって、それ自体の流動性はなく、外圧によって変形可能ではあるが、粒子群がぱらぱらに分離しないで形状を保持している状態を意味する（以下、同様）。このようなペースト状に固まっている状態は、吸水した個々の高分子吸水剤の粒子や用いた分散剤が、それぞれの内部に水分を吸収若しくは保水するとともに、その表面も多少の粘性を持った水分で覆われているため、これらの水分を介して粒子間が相互に粘着して、全体がペースト状の塊を形成しているものと考えられる。
【０００９】
一時廃液の固化については、これまで様々な提案がなされているが、公知の凝固剤によって固化された固化物の性状は、すべてべっとりしたペースト状（若しくはゼリー状）である。また、固化に至るまでに通常２０分以上かかっており、場合によっては数時間から数十時間もかかる上に、その間、撹拌を続けることも必須である。ここで、「ゼリー状」とは、水分を多く含んで一様な分散状態をとるゲル状態であって、「ペースト状」と同様に、それ自体の流動性はないが粒子群がぱらぱらに分離はしないで形状を保持しており、「ペースト状」よりも外圧により変形し難い状態を意味する（以下、同様）。
【００１０】
このようなペースト状（若しくはゼリー状）のものを焼却しようとすれば、まず表面から水分が蒸発するために、表面に緻密な皮状の層が生じる。この層は時間とともに成長して厚くなり、当然の結果として、内部に存在する水分の蒸発を妨げることになる。それに加えて、燃焼に必要な酸素の供給や熱の伝達も、表面に生成した緻密な皮状の層の存在によって阻害されて、燃焼の妨げになることは明白である。
【００１１】
本発明は、上記した如き問題点を解決するためになされたものであって、その目的は、一時廃液などの含水廃液（又は液状含水物）の全体を高分子吸水剤及び分散剤からなる処理剤などの添加によって粒子化しようとしたときに、意に反して目的とする粒子状の固化物が得られず、ペースト状又はゼリー状に固まった場合、この状態の塊をぱらぱらの粒子群（粒子集合体）に確実かつ容易に変化させることのできる、含水固化物の処理剤、及びこの処理剤を用いる処理方法を提供することにある。
【課題を解決するための手段】
【００１２】
即ち、本発明は、木粉及び糠（ぬか）からなる群より選ばれた少なくとも１種を含有し、一時廃液などの液状含水物を凝固処理したときに生じたペースト状又はゼリー状の含水固化物にまぶされることによって、この含水固化物を多数の粒子集合体に変化させる機能を有する、含水固化物の処理剤に係るものである。
【００１３】
本発明はまた、液状含水物を凝固処理して生じたペースト状又はゼリー状の含水固化物に、木粉及び糠からなる群より選ばれた少なくとも１種を含有する粉状の処理剤をまぶし、これによって、前記含水固化物を多数の粒子集合体に変化させる、含水固化物の処理方法も提供するものである。
【発明の効果】
【００１４】
本発明は、一時廃液などの液状含水物の凝固処理時に生じたペースト状又はゼリー状に固まった状態の含水固化物に、木粉と糠（具体的には米ぬか）からなる群より選ばれた少なくとも１種を含有する粉状の処理剤をまぶす（具体的には、振りかけてから混合してまぶす）ことによって、ペースト状又はゼリー状にべっとり固まっていた含水固化物は、互いに分離若しくは独立した多数の粒子集合体に変化して、簡単にぱらぱらのドライ感触の粒子群となる、という本発明者による驚くべき発見に基づくものである。ここで、上記のようにペースト状又はゼリー状に固まった状態の含水固化物にまぶすように加える上記の粉状処理剤を以下「まぶし粉末」と称するが、「まぶす」とは、含水固形物の各構成粒子の表面に粉状の処理剤がまんべんなく行き渡るように、その構成粒子を処理剤と混合して、各粒子表面に処理剤を十分に付けることを意味する。また、特に断わらない限り、ペースト状の含水固化物を代表例として説明するが、ゼリー状の含水固化物についても同様の説明が成り立つものである。
【００１５】
本発明を適用する以前のペースト状の固化状態は、上述した先願発明で生じ得ることであるが、吸水した個々の高分子吸水剤の粒子や用いた分散剤が、それぞれの内部に水分を吸収若しくは保水するとともに、その表面も多少の粘性を持った水分で覆われているため、これらの水分を介して粒子間が相互に粘着して、全体がペースト状の塊を形成しているものと考えられる。
【００１６】
ところが、ペースト状に固まった状態の含水固化物に、本発明のまぶし粉末を振りかけてまぶすと、驚くべきことに、ペースト状の塊が、ほぼ瞬時にさらさらしたぱらぱらのスポンジ性の粒子群に変化する。このまぶし粉末は、ペースト状の含水固化物にまぶすと、すばやく高分子吸水剤の粒子表面の水分を吸収し、この結果、高分子吸水剤の粒子表面は粘着性を消失して個々の粒子群がばらばらになるものと考えられる。
【００１７】
本発明において、用いる粉状の処理剤の使用量は、処理対象のペースト状又はゼリー状固化物の種類や性状によるが、それほど多く用いる必要はない。
【図面の簡単な説明】
【００１８】
【図１】本発明に使用可能な処理剤としての木粉の顕微鏡写真である。
【図２】本発明に使用可能な処理剤としての米ぬかの顕微鏡写真である。
【発明を実施するための形態】
【００１９】
本発明において、上記したまぶし粉末が、ペースト状に固化した塊を、ぱらぱらの独立した粒子群に変化させるには、多くの重要な有効因子が要求される。まず、ペーストの表面に敏速に展開できる拡散性能、ペーストの表面にすばやく接触作用する親和性、接触と同時に水分をすばやく吸収する吸水性、粘着した高分子吸水体間に入り込む浸入性能（割り込み性能）などが挙げられる。これらの少なくとも４つの性能を併せ持つことによって、まぶし粉末は、その効果を十二分に発揮することを、本発明者は見出した。
【００２０】
これらの少なくとも４つの性能（４因子）を持つまぶし粉末は、含水廃液の水分を吸収して膨潤した多数の高分子吸水体同士の粘着によって形成されているペースト状の塊に、総合的、多角的に作用して、高分子吸水体の表面の水分を吸収するため、高分子吸水体の相互の粘着性を消失させ、個々に分離分散させて、さらさらのドライ感触の分散した粒子群の生成に寄与することになる。よって、上記した性能の諸因子をバランスよく持つことが、本発明のまぶし粉末の本質的な特長であることに注目しなければならない。
【００２１】
本発明者は、これらの要求性能を満たすまぶし粉末として、木粉と米ぬかが特に優れていることを見出した。木粉の場合、そのミクロ（微視的）な構造がその効果に大きく影響し、ミクロ（微視的）構造が、フィブリル（微小繊維群）の集合体をなし、これらが絡み合ってその微小繊維間に間隙が多く存在した状態のものが優れていることを、本発明者は見出した。木粉のミクロ（微視的）な形態が、ブロック状や棒状若しくは桿状のものでは効果が少ない。
【００２２】
木粉をこのような状態にするには、木粉をすり応力下に微細に粉砕するのがよく、その粒度分布が５０メッシュパス５０質量％（以下、％は質量％を意味する。）以上となるまで粉砕する必要がある。更に高度の吸水性を発揮するには、好ましくは８０メッシュパスが５０％以上のものが好ましく、より好ましくは１００メッシュパスが５０％以上、更には９０％以上のものが好ましい。このメッシュパスの規格は、日本工業規格ＪＩＳ  Ｚ８８０１−１９８２「標準ふるい」に準拠する（以下、同様）。
【００２３】
本発明者は、すり応力下でこの状態まで木粉を粉砕することによって、図１に示すように、微小繊維が立体的にランダムに集合し、その微小繊維間に多くの間隙が存在するような立体的な微視的構造をとらせることに成功した。そして、こうした微視的構造を形成することによって、飛躍的に本発明の効果が向上することを見出している。これは、上記微小繊維間の間隙に処理対象の含水一時廃液を毛細管現象で吸い込む効果と、その場に保水する効果とが、大いに貢献していると考えられる。
【００２４】
ここに説明した事象は、米ぬかをまぶし粉末として用いる場合にも見出されている。この米ぬかは熱処理したものが好ましく用いられる。この熱処理によって、付着している微生物が死滅し、貯蔵中のカビの発生が防止される。また、熱処理による乾燥効果により、米ぬかの粒子群が、製品化に至るまでの操作中に砕かれ易くなり、形状は小さくて均一性にも富むようになる。この熱処理条件としては、例えば１２０℃で１５〜２０分としてよい。
【００２５】
米ぬかは、木粉のような微小繊維が絡まった形態をなさないが、図２に示すように、不定形で角張った切り込みが多く、表面が多様で不均一な起伏に富んだ粒子の集合体の形態をなすため、この集合体には多くの間隙が存在し、上記木粉と同様の作用効果で本来の吸水効果を促進していると考えられる。
【００２６】
上記のような微視的な構造は、巨視的には嵩比重が減少して嵩高い粉末になることで証明される。このような嵩高い粉末は、これまで知られていないが、本発明の実施に際し、木粉の嵩比重が０．３以下であると、本発明は好ましく実施でき、また最も効果的な木粉の嵩比重は０．２付近にある。本発明の処理剤に米ぬかを用いるときは、その嵩比重が０．５以下がよく、より好ましくは０．４以下であり、０．３５付近が最も好ましく用いられることを、本発明者は見出している。
【００２７】
本発明者は、本発明の効果を増進させるには、まぶし粉末の主成分である木粉や米ぬかに、質量％（以下、同様）で１０％〜６０％の水を含ませて親水性を付与することが必要であることも見出した。より好ましい含水率は１５％〜５０％であり、更に好ましくは２０％〜４５％であり、３０％〜４５％であるのが一層好ましい。
【００２８】
この含水率が１０％未満では、高分子吸水剤の粒子表面の水分に対する非親和現象が発現して、本発明の処理剤を処理対象の含水廃液と混合してまぶす場合に、敏速な混合性を発揮し難い。そのために、混合に時間がかかり、作業性が損なわれ、効果が最大限に発揮できないことになる。
【００２９】
また、この含水率が６０％を超えると、まぶし粉末がべたべたした状態になり、時として“だま”を生じるなど、作業に支障が出る上に、効果の増進が得られ難い。本発明の木粉又は米ぬかに１０％〜６０％の水分を含ませることは、まぶし粉末に適度に親水性を付与して吸水性を増加させ、同時にまぶし粉末の飛散性を激減させる効果を生む。これは、作業者が飛散した微粉を不測に吸い込むことを防ぐ観点からも、健康管理上の重要な意義を有している。
【００３０】
市販の木粉は、通常、含水率が６％付近に管理されている。これは、釘を打てるプラスチックとして、プラスチック原料に混練りして製品化されている建材用品などの要求性能に基づいて、常識化している。本発明者は、本発明の効果を有効に発揮させるには、従来の常識に反して、木粉や米ぬかに１０％〜６０％の水分を含ませることが必要であることを見出した。
【００３１】
木粉や米ぬかの含水率が１０％未満では、往々にして高分子吸水剤の粒子表面の水分に対し非親和現象が発現して、本発明の特色であるすばやい吸水性が損なわれ、効果が最大限に発揮されない。本発明の実施に用いる、８０メッシュパスが５０％以上の木粉は、非常に細かくて比重の小さい粉末であるために、含水率が１０％未満では、上記したように作業中に空間に舞い上がって飛散する傾向が生じる。これは、本発明を実施する際に、作業者が吸入する危険性を考えるとき、作業者の健康管理上からも、避けねばならない。このため、含水率の設定範囲は重要となる。
【００３２】
本発明を実施するに際して、使用するまぶし粉末の量は少量であってよく、特に規制する必要はない。具体的に述べると、まぶし粉末をペースト状の固化物の上に振りかけてから、保護手袋をはめてかき混ぜると、まぶし粉末と接触した上部からペーストがぱらぱらの粒子に変化する。一旦ぱらぱらの粒子の集まりになると、生成粒子群は、動き易くなるために難なく移動してその効果が下部のペーストへと及んでゆく。様子をみながら、適度にまぶし粉末を追加しつつ、下部へ下部へと粒子化を進めると、全体の粒子化をそれほどの手間もかからずに完遂することができる。この操作は、それほど力を必要とせず、ペースト状の重い塊の全体を見事にさらさらの取り扱い易い粒子群に変化させる。
【００３３】
ここで注目すべきことは、本発明のまぶし粉末の使用量と同じ量のまぶし粉末を、本発明の実施以前に行う廃液固化の処理剤に加えても、全く効果がないことである。まぶし粉末は、ペースト状にまで固まったものに、まぶして使用することによって、はじめて効果を発揮することを強調しなければならない。なお、本発明は、既述した先願発明によって一時廃液を固化処理して生じるものに限ることなく、その他の種々のペースト状（又はゼリー状）の含水固化物に広く適用可能である。
【００３４】
本発明の実施によって、従来の技術では、ペースト状に固まって持ち運びなどで難渋する固化物を、簡単かつ確実にぱらぱらの粒子群に変換でき、これを焼却するときに抜群の効果を発揮する。
【００３５】
既に述べたように、ペースト状の塊を焼却しようとすれば、その塊の表面がまず乾燥して緻密な層を生じるので、燃焼しようとしても、この緻密層が水分の蒸発を阻止し、熱の伝達も阻害し、また何よりも燃焼に必要な酸素を通さず、供給することができない。
【００３６】
しかしながら、本発明によって得られる粒子群は、個々の粒子がばらばらの独立した粒子集合体を形成し、気孔の連通した多孔性のやわらかいスポンジ様の形態をなして表面積に富む（比表面積が大きい）ために、（１）水分が蒸発し易いこと、（２）熱も内部に伝わり易いこと、（３）酸素の供給も極めて容易であって、木炭に対する消し炭に例えることができ、良好な可燃性を発現すること、という３大条件を備えている。
【実施例】
【００３７】
以下、本発明を各種の例で更に詳細に説明するが、これらは説明のためのものであって本発明の技術的思想を限定するものではない。
【００３８】
［実施例１］
樹脂ワックスを塗布した床面が塗布後１３ヶ月を経過してすっかり汚れたために、剥離再生を依頼された業者が手持ちの剥離剤で床面樹脂ワックスを剥離処理し、これによって生じた汚れた廃液（含水剥離廃液）の凝固処理を行った。この樹脂ワックスの種類、用いた剥離剤の種類も不明であったが、ｐＨを測ると１４を示し、かなりのアルカリ性であった。
【００３９】
富士メンテニール株式会社製のフロアワックス粒子化剤（商品名：ＦＭミラクルパウダー１０２）を用いて、上記の床面樹脂ワックス剥離廃液（ペール缶に約１２リットル）の粒子化を試みた。この場合、富士メンテニール株式会社の使用マニュアルに準じ、この剥離廃液に対して、５質量％のＦＭミラクルパウダー１０２を用いて、この廃液の粒子化を試みた。
【００４０】
この粒子化剤の使用量を６質量％とした。しかし、この使用量は少し足らない状態であり、従って、凝固（粒子化）処理の最適条件からは少しずれていたことになる。ＦＭミラクルパウダー１０２を投入してから３分後には、剥離廃液全体が固まったが、少し水っぽいペースト状（又はゼリー状：以下、同様）であった。この状態で更に５分間、様子を見たが、ペースト状態は変わらず、更に１０分間観察したが、固化状態はペースト状で変わらなかった。
【００４１】
そこで、本発明に基づく、微視的にフィブリル構造を示す特殊なミクロ構造の木粉（８０メッシュパスが５０％以上、嵩比重０．１９）を主成分とするまぶし粉末を使用した。この木粉はすり応力下で粉砕処理されたものであって、図１の拡大写真に示した様態をなしていた。
【００４２】
このまぶし粉末の量の僅かを、上記のペースト状固化物に振りかけた。ゴム製の手袋をはめた手で軽く混合してまぶすと、ペースト状の表面から瞬時に、スポンジ性状でサイズ１ｍｍ〜３ｍｍのぱらぱらの粒子群が生成した。この粒子群は軽くて、力を入れなくても手の動きで動き回る軽い性状であった。適度にまぶし粉末を振りかけながら下へ下へと混合を進めると、上から下へとペースト状の固化物の粒子化が十分に進行した。
【００４３】
このようにして、数分で、ペースト状の水っぽい固化物の全部が、ぱらぱらでドライ感触のサイズ１ｍｍ〜４ｍｍのスポンジ性の粒子群に底まで変化した。ここに至るまでに使用したまぶし粉末の総量は、僅か１２６ｇであった。
【００４４】
［実施例２］
酒造メーカーで日本酒を製造する際に発生した絞り汚液の凝固処理を試みた。この汚液を収容した容器の蓋を開けると、すさまじい臭気が部屋中に広がる状態であった。
【００４５】
この腐敗臭ともいえる臭気を発する廃汚液に、富士メンテニール株式会社製の廃液処理剤（商品名：ＦＭミラクルパウダー１０１）を加えた。詳細に説明すると、廃液の総量は１３００ｍｌであり、これにＦＭミラクルパウダー１０１を８０ｇ加えた。ＦＭミラクルパウダー１０１の投入後、５分経っても粒子状に固まらず、水っぽいペースト状であった。更に、ＦＭミラクルパウダー１０１を１０ｇ追加してみたが、固化物の性状はそれほど変わらなかった。
【００４６】
この状態で、実施例１に示した本発明に基づくまぶし粉末（主成分は木粉であり、ミクロな構造がフィブリルの集合体からなり、嵩比重０．１９）の５ｇを上記の固化物に少しずつ投入してまぶしてみたところ、水っぽいペースト状の固化物は、ぱらぱらでドライ感触のサイズ１ｍｍ〜３ｍｍのスポンジ性の粒子群に見事に変化した。そのまま性状を１週間観察したが、生成粒子群の様子は変わらなかった。
【００４７】
［実施例３］
塗装業者からの塗装残りの水性塗料（残液）の凝固処理を約１リットルの残液について試みた。
【００４８】
この残液はかなりの粘性があったので、約１２０ｍｌの水を加えて粘度を落とし、これに富士メンテニール株式会社製の廃液処理剤（商品名：ＦＭミラクルパウダー１０１）の６０ｇを投入して、廃液の全体の粒子化を試みた。１０分を経過しても全系の完全粒子化に至らず、性状はやわらかいペースト状であった。
【００４９】
この状態で、本発明に基づいて、実施例１に示した木粉と、１２０℃で１５〜２０分熱処理した米ぬかとの混合物（混合比は質量比で７０：３０、木粉の粒子の大きさは８０メッシュパスが５０％以上、嵩比重０．２０）をまぶし粉末として用いた。米ぬかは、図２の拡大写真に示す様態をなしていた。このまぶし粉末の約６ｇを上記のペースト状の固化物に振りかけてまぶすと、全体がぱらぱらの粒子群に見事に変化した。この状態の経時変化を観察したが、ぱらぱらのドライ感触は時間とともに向上した。
【００５０】
［実施例４］
美容院で常用しているパーマ剤の使用液を棄てずに、ポリエチレン容器に全量が４リットルとなるまで集めた。この使用廃液に、ポリアクリル酸ナトリウム架橋体である高分子吸水剤の約５０ｇ（容量約８０ｍｌ）と、木粉（８０メッシュパス５０％以上）３８ｇとを混合した粉体を緩やかに撹拌しながら加えたところ、粉体は均一かつ容易に直ぐに分散した。約３分後に、パーマ剤使用廃液の全体は固化したが、水っぽいペースト状にとどまり、この性状は２０分を経過しても変らなかった。
【００５１】
そして、この廃液固化物に、実施例１で用いた本発明に基づくまぶし粉末（微視的にフィブリル構造を示す特殊なミクロ構造を持つ木粉（嵩比重０．１９）を主成分とするまぶし粉末）を僅かな量で振りかけた。棒で軽く混合すると、ペースト状の表面から、瞬時にぱらぱらでスポンジ性状のサイズ１ｍｍ〜３ｍｍの粒子群が生成した。この粒子群は軽くて、力を入れなくても棒の動きで動き回る軽い性状であった。
【００５２】
適度にこのまぶし粉末を振りかけながら下へ下へと混合を進めると、ペースト状の固化物の粒子化が上から下へと十分に進行した。
【００５３】
このようにして、数分で、ペースト状の水っぽい固化物の全部が、ぱらぱらでドライ感触のサイズ１ｍｍ〜４ｍｍのスポンジ性の粒子群に底まで変化した。ここに至るまでに使用したまぶし粉末の総量は、僅か２２ｇであった。
【００５４】
［実施例５］
樹脂ワックスを塗布した床面が塗布後１年以上になり、すっかり汚くなったので、この床面樹脂ワックスを市販の剥離剤（ジョンソンディバイシー社製）で剥離した。この剥離廃液のｐＨを測ると１４を示し、かなりの高アルカリ性であった。
【００５５】
この剥離廃液（ペール缶に約１３リットル）の粒子化を富士メンテニール株式会社製のフロアワックス粒子化剤（商品名：ＦＭミラクルパウダー１０２）によって行った。ＦＭミラクルパウダー１０２の使用量は４５０ｇであった。この廃液は、１０分後、流動性を失ってゲル状にはなったが、ぱらぱらの状態とは言えなかった。
【００５６】
手許にまぶし粉末がなかったので、ＦＭミラクルパウダー１０２が、微視的にフィブリル構造を示す特殊なミクロ構造を持つ木粉（比重０．１９）を主成分としていることから、これをまぶし粉末として試用してみた。驚いたことに、上記のゲル状の塊がぱらぱらの粒子群に見事に変化した。このまぶし粉末の使用量は僅か３０ｇにすぎなかった。
【００５７】
［比較例１］
この比較例では、実施例５で用いた総使用量と同じ４８０ｇのＦＭミラクルパウダー１０２を用いて、実施例５と同じ量の剥離廃液（ペール缶に約１１リットル）の粒子化を試みた。
【００５８】
ＦＭミラクルパウダー１０２の使用量は、総量では、実施例５と同じであるが、この比較例１の場合は、剥離廃液は、１０分後、流動性を失ってゲル状にはなったものの、それ以上の固化が進まず、２０分を経過しても粒子化は生じなかった。このことは、比較例１とは異なり、実施例５のように、剥離廃液のゲルをまぶし粉末を加えて処理することによってはじめて、効果を発揮することを明らかに示している。
【００５９】
以上に述べたように、高分子吸水剤を含む処理剤で、含水汚液の全てを完全に粒子の集合体に固形化することを試みたが、粒子化の最適条件からずれたために、汚水系全体の完全粒子化に至らず、ペースト状又はゼリー状になってしまった場合、本発明によるまぶし粉末をまぶすことにより、簡単かつ確実に、ドライ感触のぱらぱらの粒子群に変化させることができる。従って、本発明は、これまで野放しになっていた一時廃液の処理を、作業性良く行えることは勿論のこと、環境保全の面からも汚水を一滴も流さないという画期的な方法の実用化に大いに寄与し、汚水の可燃化への道を開き、産業上の利用価値を大いに高めるものである。
【００６０】
［比較例２］
樹脂ワックスを塗布してから半年を経ている汚れた床面を市販の剥離剤溶液で剥離し、その汚水の２リットルをテスト汚水とした。また、酸性硫酸ナトリウム１０ｇを３００ｍｌの水に溶解して容器に注ぎ、テスト溶液とした。
【００６１】
このテスト溶液の上に２リットルの上記汚水を一気に注ぎ込むと、瞬時に塊状の沈殿物が生じ、汚濁液は透明な液となった。５分後に、塊は簡単に拾い上げられ、金網に乗せられた。この塊は手で押さえつけると、若干の透明な液が絞り出された。液は酸性であった。この液に重炭酸ナトリウムの粉末を加えると、細かい泡が生じた。緩やかに撹拌しながら重炭酸ナトリウムの粉末を加え続けると、やがて泡は出なくなった。リトマス試験紙でｐＨを調べるとｐＨは７であり、中和されていることが示された。若干の重炭酸ナトリウムの粉末を更に加えてｐＨを調べると、ｐＨは７で変わりはなかった。
【００６２】
このようにして、処理に難渋するフロアワックスを瞬時に固形物と液体に分離する方法を確立できた。しかし、ここで、生じた透明の液体も、金網上に分離された固形物もそれぞれが公害物であることに気づかねばならない。以上の操作は、考え方によれば、樹脂ワックス剥離汚水という公害物を、透明ではあるが、液体の公害物と固体の公害物に分けただけであり、これからそれぞれの公害物の処理が更に必要になる。当然、これらの処置が多くの工程を伴って行われることになる。
【００６３】
これに対して、本発明のように、汚水を数分でぱらぱらの無害で可燃の粒子群に変化させる方法では、この比較例２の方法における公害防止操作の出発点が、最終点となり、それ以上の処置を必要としない。この比較例から、本発明は、垂涎かつ究極の処理剤と処理方法を提供するものである、と明確に理解することができる。
【産業上の利用可能性】
【００６４】
本発明は、これまで野放しになっていた一時廃液の処理を、作業性良く行えることは勿論のこと、環境保全の面からも汚水を一滴も流さないという画期的な方法の実用化に大いに寄与し、汚水の可燃化への道を開き、産業上の利用価値を大いに高めることができる。
【先行技術文献】
【特許文献】
【００６５】
【特許文献１】国際公開番号ＷＯ２０１０／００１７１０Ａ１公開公報（特許請求の範囲、明細書の第７〜４０頁、図面）
【図１】
2012143694.tif 000003
【図２】
2012143694.tif 000004